(57)【要約】      （修正有）【課題】主に、同色の表示を切り替えることができるようにする。【解決手段】表示装置４は、複数種類の表示意匠１１，１２を有する透光性部材１３，１４と、透光性部材１３，１４の表示面の裏側に設置した表示意匠１１，１２と対応した、複数種類の光源１５，１６とを有し、光源１５，１６からのそれぞれ異なる波長の光１７，１８が表示意匠１１，１２に当たって、対応する光源１５，１６が発するそれぞれ異なる波長の光１７，１８を受けて可視光２１，２２で発光する色素２３，２４によってそれぞれ発光することで、表示面に表示意匠１１，１２を表示する。【選択図】図３
2018180399.tif 000002
【特許請求の範囲】
【請求項１】
表示意匠を有する透光性部材と、該透光性部材の表示面の裏側に設置した光源とを有して、該光源からの光が前記表示意匠に当たって表示意匠が発光することで前記表示面に表示意匠を表示可能な表示装置において、
前記表示意匠を複数種類設けると共に、各表示意匠と対応させて前記光源を複数種類設け、
該複数種類の光源を、それぞれ異なる波長の光を発生するものにすると共に、
前記複数種類の表示意匠を、対応する前記光源が発するそれぞれ異なる波長の光を受けて可視光を発光する色素によってそれぞれ構成したことを特徴とする表示装置。
【請求項２】
請求項１に記載の表示装置であって、
前記色素に蛍光色素を用い、前記光源に蛍光色素の励起波長を有する励起光源を用いたことを特徴とする表示装置。
【請求項３】
請求項２に記載の表示装置であって、
複数の蛍光色素を、励起波長が短いもの程光源から遠くとなり、励起波長が長いもの程光源の近くとなるように配置したことを特徴とする表示装置。
【請求項４】
請求項１ないし請求項３のいずれか１項に記載の表示装置であって、
前記透光性部材の表示面側にスモークカバーを設置したことを特徴とする表示装置。
【発明の詳細な説明】
【技術分野】
【０００１】
この発明は、表示装置に関するものである。
【背景技術】
【０００２】
自動車などの車両は、車室内に各種の表示装置を備えている。
このような表示装置には、表示意匠を有する透光性部材と、この透光性部材の表示面の裏側に設置した光源とを有するものが存在している（例えば、特許文献１参照）。このような表示装置によれば、光源からの光が表示意匠に当たることで、表示面に表示意匠を表示することができる。
【０００３】
特許文献１に記載した表示装置では、ＵＶ印刷部分と紫外線光源とを組み合わせて、紫外線光源からの光によってＵＶ印刷部分が発光することで表示意匠を白色に表示するようにしている。
【先行技術文献】
【特許文献】
【０００４】
【特許文献１】特開２００７−５７７３０号公報
【発明の概要】
【発明が解決しようとする課題】
【０００５】
上記特許文献１に記載された表示装置では、表示の切り替えを行い得るようにするために、ＵＶ印刷部分と紫外線光源との組み合わせによる白色の（発光）表示に加えて、赤色の色光源と赤色光を通す透明印刷部分（および赤色光を通さない青色印刷部分）との組み合わせによる赤色の透過表示ができるようにしている。しかし、この構成だと、同色の表示を切り替えることは困難であった。
【０００６】
そこで、本発明は、主に、上記した問題点を解決することを目的としている。
【課題を解決するための手段】
【０００７】
上記課題を解決するために、本発明は、
表示意匠を有する透光性部材と、該透光性部材の表示面の裏側に設置した光源とを有して、該光源からの光が前記表示意匠に当たって表示意匠が発光することで前記表示面に表示意匠を表示可能な表示装置において、
前記表示意匠を複数種類設けると共に、各表示意匠と対応させて前記光源を複数種類設け、
該複数種類の光源を、それぞれ異なる波長の光を発生するものにすると共に、
前記複数種類の表示意匠を、対応する前記光源が発するそれぞれ異なる波長の光を受けて可視光で発光する色素によってそれぞれ構成したことを特徴とする。
これにより、点灯する光源を切り替えることで、発光する表示意匠を切り替えることができる。また、表示意匠を構成する色素については、受ける波長は異なるが、発光する波長は同じになるものを選定することが可能となる。
【発明の効果】
【０００８】
本発明によれば、上記構成によって、同色の表示を切り替えることなどが可能になる。
【図面の簡単な説明】
【０００９】
【図１】本実施の形態にかかる表示装置の正面図である。
【図２】図１の表示装置の部分拡大図である。
【図３】図１の表示装置の断面図である。
【図４】図１の表示装置の第一の表示の見え方の概要を示す分解斜視図である。
【図５】図１の表示装置の第二の表示の見え方の概要を示す分解斜視図である。
【図６】具体的な蛍光色素の選定例を示すグラフ（横軸：波長／縦軸：相対強度）である。
【図７】具体的な蛍光色素の別の選定例を示すグラフ（横軸：波長／縦軸：相対強度）である。
【発明を実施するための形態】
【００１０】
以下、本実施の形態を、図面を用いて詳細に説明する。
図１〜図７は、この実施の形態を説明するためのものである。
【実施例１】
【００１１】
＜構成＞以下、この実施例の構成について説明する。
【００１２】
図１に示すように、自動車などの車両１における、車室２内の部分に各種の表示装置３，４を設ける。
【００１３】
例えば、車室２の前部に設置したインストルメントパネル５の運転席側の部分に、メータ（計器表示装置）などの表示装置３を設ける。また、運転席に設けられたステアリング６の部分に表示装置４を備えたステアリングスイッチ７を設ける。或いは、インストルメントパネル５における運転席と助手席との間の部分に、エアコンやオーディオ装置などを操作するためのスイッチや表示装置を備えた集中パネルを設ける。
【００１４】
そして、これらのうち、例えば、図２に示すステアリングスイッチ７を、図３に示すように、表示意匠１１，１２を有する透光性部材１３，１４と、この透光性部材１３，１４の表示面の裏側に設置した光源１５，１６とを有する表示装置４を備えたものとする。この表示装置４は、光源１５，１６からの光１７，１８が表示意匠１１，１２に当たって表示意匠１１，１２が発光することで、表示面に表示意匠１１，１２を表示することができるものとなっている。
【００１５】
ステアリングスイッチ７は、ステアリング６に設けた手元操作用のスイッチである。そして、スイッチの表示を上記した表示装置４とすることで、スイッチの機能を分かり易くすることができる。また、表示装置４をスイッチの表示に用いる場合、デザイン的に、様々な平面形状や曲面形状に対応できるものであることが好ましい。
【００１６】
なお、上記説明では、表示装置４をステアリングスイッチ７の表示部としているが、これに限るものではなく、例えば、上記した集中パネルの表示部やその他の表示部としても良い。
【００１７】
以上のような基本的な構成に対し、この実施例では、以下のような構成を備えるようにしている。
【００１８】
（１）図４、図５に示すように、表示装置４に、表示意匠１１，１２を複数種類設けると共に、各表示意匠１１，１２と対応させて光源１５，１６を複数種類設ける。
複数種類の光源１５，１６を、それぞれ異なる波長の光１７，１８を発生するものにする。
複数種類の表示意匠１１，１２を、対応する光源１５，１６が発するそれぞれ異なる波長の光１７，１８を受けて可視光２１，２２を発光する色素２３，２４によってそれぞれ構成する。
【００１９】
ここで、複数種類の表示意匠１１，１２と光源１５，１６は、１対１に対応している（例えば、表示意匠１１と光源１５、および、表示意匠１２と光源１６）。複数種類は、２種類、または、３種類以上とすることができる。表示意匠１１，１２は、１枚の透光性部材１３，１４に対し１種類ずつ設けるようにしても良い。また、１枚の透光性部材１３，１４の裏表にそれぞれ１種類ずつ設けるようにしても良い。または、透光性部材１３，１４の同じ面に重ねて設けるようにしても良い。
【００２０】
色素２３，２４は、例えば、印刷によって、透光性部材１３，１４に表示意匠１１，１２を形成する。色素２３，２４は、透明であっても、半透明または不透明であっても良い。また、色素２３，２４は、有色であっても、無色であっても良い。
【００２１】
なお、表示装置４をステアリングスイッチ７などのスイッチの表示部として設けた場合、上記構成とすることにより、１つのスイッチに複数の機能を持たせて、機能に応じて表示を切り替えることができるようになるため、スイッチの数を減らすことができる。例えば、表示意匠１１を、「＋−」などのような増減を示す記号とすると共に、表示意匠１２を、上矢印や下矢印などのような上下移動を示す図形として、機能に応じて表示を切り替えることができる。色素２３，２４は、可視光２１，２２を発光するものであれば何でも良い。好ましくは、以下のようにする。
【００２２】
（２）好ましくは、色素２３，２４に蛍光色素を用いるようにする。また、光源１５，１６に蛍光色素の励起波長を有する励起光源を用いるようにする。
【００２３】
ここで、蛍光色素は、蛍光を発する色素２３，２４のことである。励起波長は蛍光色素ごとに異なるように選定する。励起光源には、ＬＥＤなどの光源１５，１６を使うことができる。第一の蛍光色素（色素２３）は、第一の励起光源（光源１５）によって励起されるが、第二の励起光源（光源１６）では励起されないようにする。また、第二の蛍光色素（色素２４）は、第二の励起光源（光源１６）によって励起されるが、第一の励起光源（光源１５）では励起されないようにする。同様に、蛍光色素および励起光源が多数ある場合には、各蛍光色素は、対応する励起光源以外では励起されないようにする。
【００２４】
具体的には、図６に示すように、励起波長が４８５ｎｍで蛍光波長が５６０ｎｍ（黄緑色の可視光２１）の第一の蛍光色素（色素２３、例えば、DYOMICS社のDY485XL）と、４８５ｎｍの青色光（光１７）を発する第一の励起光源（光源１５）とを組み合わせて用いることができる。加えて、励起波長が５５５ｎｍで蛍光波長が５６５ｎｍ（黄緑色の可視光２２）の第二の蛍光色素（色素２４、例えば、Affymetrix社のAlexa  Fluor  555（商標））と、５５５ｎｍの黄緑色光（光１８）を発する第二の励起光源（光源１６）とを組み合わせて用いることができる。
【００２５】
また、図７に示すように、励起波長が４８８ｎｍで蛍光波長が５１９ｎｍ（緑色の可視光２１）の第一の蛍光色素（色素２３、例えば、Affymetrix社のAlexa  Fluor  488（商標））と、４８８ｎｍの青色光（光１７）を発する第一の励起光源（光源１５）とを組み合わせて用いることができる。加えて、励起波長が６３３ｎｍで蛍光波長が６４７ｎｍ（赤色の可視光２２）の第二の蛍光色素（色素２４、例えば、Affymetrix社のAlexa  Fluor  633（商標））と、６３３ｎｍの赤色光（光１８）を発する第二の励起光源（光源１６）とを組み合わせて用いることができる。
【００２６】
なお、色素２３，２４の励起波長、蛍光波長、および、光源１５，１６の波長は、それぞれピーク波長である。
【００２７】
（３）複数の蛍光色素（色素２３，２４）を、励起波長が短いもの程光源１５，１６から遠くとなり、励起波長が長いもの程光源１５，１６の近くとなるように配置しても良い。
【００２８】
ここで、図６、図７共に、第一の蛍光色素（色素２３）が第二の蛍光色素（色素２４）よりも励起波長が短くなっているので、第一の蛍光色素（色素２３）を第二の蛍光色素（色素２４）よりも表示装置４の表示面の側（図３〜図５の上側）に配置する。
【００２９】
なお、図６の場合のように、同色での表示を行う場合には、矢印で示した励起波長（のピーク波長）と蛍光波長（のピーク波長）との差（ストークスシフト）が大きいものと小さいものとを組み合わせるようにする。
【００３０】
（４）更に、透光性部材１３，１４の表示面側にスモークカバー３１を設置しても良い。
【００３１】
ここで、スモークカバー３１は、暗色の半透明な板のことであり、紫外線をカットできるものとするのが好ましい。スモークカバー３１は、光源１５，１６からの光１７，１８と、蛍光色素が発光する可視光２１，２２とのコントラストを高めることができるような透過率のものとするのが好ましい。スモークカバー３１は、少なくとも表示装置４を構成する複数の透光性部材１３，１４のうち、最も上側位置するものの上側に設けるようにする。
【００３２】
＜作用効果＞この実施例によれば、以下のような作用効果を得ることができる。
【００３３】
表示装置４は、光源１５，１６を点灯して、光源１５，１６からの光１７，１８を表示意匠１１，１２に当てることで、表示意匠１１，１２が発光し、表示面に表示意匠１１，１２を表示することができるようになっている。
【００３４】
（作用効果１）複数種類の光源１５，１６を設けて、それぞれが異なる波長の光１７，１８を発生するようにする。また、複数種類の表示意匠１１，１２を、対応する光源１５，１６が発するそれぞれ異なる波長の光１７，１８を受けて可視光２１，２２を発光する色素２３，２４によってそれぞれ形成した。
【００３５】
これにより、図４または図５に示すように、複数種類の光源１５，１６のうちのいずれかを点灯することで、複数種類の表示意匠１１，１２のうちの対応するものが可視光２１，２２で発光し、発光した表示意匠１１，１２を表示することができる。即ち、点灯する光源１５，１６を切り替えることで、発光する表示意匠１１，１２を切り替えることができる。例えば、図４に示すように、光源１５を点灯すると、色素２３が発光して「＋−」の表示意匠１１が見えるようになる。また、図５に示すように、光源１６を点灯すると、色素２４が発光して「＋−」の表示意匠１２が見えるようになる。
【００３６】
この際、表示意匠１１，１２を構成する色素２３，２４が光源１５，１６からの光１７，１８を可視光２１，２２に変換することで、色素２３，２４の選び方によっては色素２３，２４の発光色を同じにすることができる。即ち、受ける波長は異なるが、発光する波長は同じになる色素２３，２４を選定することが可能となる。よって、同色での表示も可能になる。その結果、表示のバリエーションを増やすことができる。
【００３７】
（作用効果２）蛍光色素は、励起波長と蛍光波長との関係が分かっているものが多く存在しているため、蛍光色素と励起光源とを適宜選定して組み合わせるのが容易である。よって、色素２３，２４に蛍光色素を用いることで、様々な色の表示を自在に行うことができるようになる。
【００３８】
（作用効果３）蛍光色素の配置によっては、発光した蛍光色素が別の蛍光色素の励起光源となってしまい、別の蛍光色素が誤発光するおそれがある。そこで、蛍光色素は、励起波長の光１７，１８を受け取ると、それよりも長い蛍光波長の光１７，１８を放出する性質があることを利用して、励起波長が短いもの程光源１５，１６から遠くとなり、励起波長が長いもの程光源１５，１６の近くとなるように蛍光色素を配置するようにした。
【００３９】
これにより、発光した蛍光色素が別の蛍光色素の励起光源となることを防いで別の蛍光色素が誤発光するのを防止できる。その結果、例えば、同じ色で発光する蛍光色素のように、励起波長や蛍光波長が近くて誤発光を起こし易いことから、組み合わせて使用することが難しかった蛍光色素であっても誤発光なく使用できるようになるので、これまで行うことが難しかった同じ色の表示意匠１１，１２を切り替えて表示することも容易となる。
【００４０】
（作用効果４）透光性部材１３，１４の表示面側にスモークカバー３１を設置した。これにより、発光していない蛍光色素が外部から透けて見えるのをスモークカバー３１によって防止することができる。また、スモークカバー３１によって光源１５，１６に含まれる紫外線をカットすることもできる。そして、スモークカバー３１によって光源１５，１６からの光１７，１８と、蛍光色素が発光する可視光２１，２２とのコントラストを高めることができる。
【符号の説明】
【００４１】
１    車両
２    車室
３    表示装置
４    表示装置
５    インストルメントパネル
６    ステアリング
７    ステアリングスイッチ
１１    表示意匠
１２    表示意匠
１３    透光性部材
１４    透光性部材
１５    光源（励起光源）
１６    光源（励起光源）
１７    光
１８    光
２１    可視光
２２    可視光
２３    色素（蛍光色素）
２４    色素（蛍光色素）
３１    スモークカバー
【図１】
2018180399.tif 000003
【図２】
2018180399.tif 000004
【図３】
2018180399.tif 000005
【図４】
2018180399.tif 000006
【図５】
2018180399.tif 000007
【図６】
2018180399.tif 000008
【図７】
2018180399.tif 000009